(57)【要約】【課題】小型で、安価で、しかも確実な通信伝達、が出来る方式にて、外側の外形（デザイン）は、従来と変わらないシステムを実現する。【解決手段】数十ＫＨｚ〜数百ＫＨｚの周波数を使用して、ドアー自体を送信アンテナとして用いて、外形を変えること無く、受信アンテナとの距離を一定にして、確実な通信伝達を可能にした。【選択図】  図５
2004245006.tif 000002
【特許請求の範囲】
【請求項１】
住宅の玄関ドアー錠や自動車のドアー錠において、ドアー自体の金属部を送信アンテナとして用いて、受信のアンテナを一定距離で隔てて、確実な通信伝達を得るようにした電子式防犯システムの方式。
【発明の詳細な説明】
【０００１】
【発明の属する技術分野】
本発明は住宅や自動車の防犯に関する電子錠のシステムを提供しようとするものである。
【０００２】
【従来の技術】
いままでは、接触型として、ドアーの表面にドアーの金属部と絶縁して導体部を置き、そこに送信側のキーの金属部を接触させて、信号を通信伝達させていた。また非接触型として、高周波（数百ＭＨｚ，微弱電波）を用いたものもあった。
【０００３】
【発明が解決しようとする課題】
接触型のものは、導体部をドアーの表面に露出させなければならず、表面側の工事が必要であった。その為、外部の人や犯行者により壊されることがあった。またデザイン上、外部より余分な部品が見える等、の問題があった。非接触型のものは、高周波を用いているので、受信増幅器（フロントエンド）等の高度技術が必要であり、回路が大きくなり、高価なものになっていた。また製造時には高価な計測機等の設備及び環境と、熟練した人員が必要なので、非接触型は接触型の２倍程度の価格で販売されていた。このような事により、表面からは見えず、接触型の価格と変わらないシステムが望まれていた。
【０００４】
【発明が解決しようとする手段】
上記の要望により、ドアー自体を送信アンテナとして用いて、外部より見えなくした。受信アンテナとの距離を一定にすることにより、通信伝達効率を一定にして、確実な通信を可能にした。また送・受アンテナを隔てることにより、ノイズ分離を容易にした。また安価な電子部品で回路を構築でき、アンテナの大きさに、より適応する周波数を選んだ。周波数を数十ＫＨｚ〜数百ＫＨｚにすると、汎用ＩＣが使用できるので、小型で、安価な、システムが実現できた。
【０００５】
【発明の実施の形態】
機械式キーと一体にして、コード作り，変調を一体にしたＩＣと振動子をカバーに内蔵してあり、カバー表面部に位置したスイツチを押下することにより、変調波を発生させ、キーの金属部を通して、ドアーの金属部を送信アンテナにして信号を放射させる。一定の間隔を経て受信アンテナに入力された信号は受信ＩＣにて復調，コード処理され、施錠用のソレンイド又はモーターをドライブする。この周波数帯では油汚れや，経年によるサビ等による接触不良が発生しても、安定した通信ができる。サムターン回し，ピッキング等により、機械式錠が解錠されても、電子式施錠機によりロックされているのでドアーは開けられない。電子式施錠機は機械的には外側より開ける事は不可能である、しかし内側よりはリセットスイツチを押下するか、又は電池をはずす事により容易に解錠される。
【０００６】
【実施例】
以下添付図に従がって実施例を説明する。図１は今まで一般的に用いられている機械式キーである。（イ）は正面図で、（ロ）は側面図である。
【０００７】
図２は今回使用される電子回路と一体化された、複合キーである。（イ）は正面図で、（ロ）は側面図である。スイツチ１ａを押下することにより変調波を発射させる。電子回路部はカバー２により被覆されている。
【０００８】
図３はドアーに取り付けられた電子式施錠機の配置図である。３は電子式施錠機、４は機械式キーの受け側、５は回転させてドアーを開ける為のノブである。（イ）はドアーの裏側図、（ロ）はドアーの側面図、（ハ）はドアーの表側図である。
【０００９】
図４は電子式施錠機の施錠状態と開錠状態である。（イ）は施錠時で、ホルダー６ａとロック棒７ａは固定されている。（ロ）は開錠時で、ホルダー６ｂとロック棒７ｂは自由である。ホルダーはドアーの裏側の周辺固定部に取り付けられていて、受信側の回路部は電子式施錠機ケース８ａに内蔵されている。
【００１０】
図５は電子式施錠機をドアーに取り付けた場合の断面図である。ロック棒７ｃはソレノイド又はモーターに連動されていて電池７，回路部等とケース８ｂに内蔵されている。受信側アンテナは補強板１０と共用され、外部よりドリル等を使用して破壊しようとしても、出来なくなっている。もちろん受信側アンテナを補強板とは別にしてドアーに貼り付けることもできる。補強板１０はドアーの裏側鉄板１２とは絶縁シート１１にて絶縁されている。空間を経てドアーの表側鉄板１３とで全体のドアー部を形成している。
【００１１】
図６は今回使用する電子回路のブロック図である。スイツチ１ｂを押下することにより、送信側振動子１４による周波数（例えば４５５ＫＨｚ）で送信側ＩＣ１５により分周，変調，コード作りされ、共振回路１６にて信号増幅して、キー接触部１７を通じてドアー部アンテナ１８より送信される。受信側アンテナ１０ｂにて信号は受信され、フィルター１９を通じて受信側ＩＣ２０と受信側振動子２１（例えば４５５ＫＨｚ）にて増幅，復調され、ドライバー回路２２によりソレノイド又はモーターを作動させ、ロック棒により機械的に施錠される。
【発明の効果】
本発明は、以上説明したよな形態で実施され、以下に記載されるような効果を奏する。
【００１２】
送・受アンテナを一定間隔に位置させる事により、ノイズを分離しやすく、確実な通信伝達ができる。（アンテナを接触させるとノイズ処理が難しくなる。）
【００１３】
ドアーをアンテナとして使用しているので、外側に露出した導体部を必要とせず、外側より見た場合、機械式キーのみを使用したシステムと同じデザインが実現できる。
【００１４】
数十ＫＨｚ〜数百ＫＨｚの変調波を使用しているので、キー部等に油汚れ，サビ等による接触不良が生じても安定した通信伝達ができる。
【００１５】
高周波（数百ＭＨｚ）を使用したシステムと比較した場合、回路構成が容易なので、小型で信頼性の高い、大幅にコストダウンしたシステムを実現できる。
【００１６】
電子回路を内蔵して機械式キーと一体にした場合は、機械施錠し、次にすぐスチを押下できるので、電子式施錠を忘れる事もなく、面倒でもなくなる。
【図面の簡単な説明】
【図１】今まで一般的に用いられている機械式キーの説明図である。
【図２】今回使用される一体化された複合キーの説明図である。
【図３】ドアーに電子式施錠機を取り付けた配置図である。
【図４】電子式施錠機の施錠状態（イ）、と開錠状態（ロ）の説明図である。
【図５】電子式施錠機をドアーに取り付けた場合の断面図である。
【図６】今回使用する電子回路のブロック図である。
【符号の説明】
１    スイツチ
２    カバー
３    電子式施錠機
４    機械式キー
５    ノブ
６    ホルダー
７    ロック棒
８    電子式施錠機ケース
９    電池
１０  受信側アンテナ（補強板）
１１  絶縁シート
１２  ドアーの表側鉄板
１３  ドアーの裏側鉄板
１４  送信側振動子
１５  送信側ＩＣ
１６  共振回路
１７  キー接触部
１８  ドアー部アンテナ
１９  フィルター
２０  受信側ＩＣ
２１  受信側振動子
２２  ドライバー回路
【図１】
2004245006.tif 000003
【図２】
2004245006.tif 000004
【図３】
2004245006.tif 000005
【図４】
2004245006.tif 000006
【図５】
2004245006.tif 000007
【図６】
2004245006.tif 000008
【手続補正書】
【提出日】平成15年2月27日(2003.2.27)
【手続補正１】
【補正対象書類名】明細書
【補正対象項目名】全文
【補正方法】変更
【補正の内容】
【特許請求の範囲】
【請求項１】住宅の玄関ドアー錠や自動車のドアー錠において、ドアー自体の金属部を送信アンテナとして用いて、受信のアンテナを一定距離で隔てて、確実な通信伝達を得るようにした電子式防犯システムの方式。
【発明の詳細な説明】
【０００１】
【発明の属する技術分野】
本発明は住宅や自動車の防犯に関する電子錠のシステムを提供しようとするものである。
【０００２】
【従来の技術】
いままでは、接触型として、ドアーの表面にドアーの金属部と絶縁して導体部を置き、そこに送信側のキーの金属部を接触させて、信号を通信伝達させていた。また非接触型として、高周波（数百ＭＨｚ，微弱電波）を用いたものもあった。
【０００３】
【発明が解決しようとする課題】
接触型のものは、導体部をドアーの表面に露出させなければならず、表面側の工事が必要であった。その為、外部の人や犯行者により壊されることがあった。またデザイン上、外部より余分な部品が見える等、の問題があった。非接触型のものは、高周波を用いているので、受信増幅器（フロントエンド）等の高度技術が必要であり、回路が大きくなり、高価なものになっていた。また製造時には高価な計測機等の設備及び環境と、熟練した人員が必要なので、非接触型は接触型の２倍程度の価格で販売されていた。このような事により、表面からは見えず、接触型の価格と変わらないシステムが望まれていた。
【０００４】
【発明が解決しようとする手段】
上記の要望により、ドアー自体を送信アンテナとして用いて、外部より見えなくした。受信アンテナとの距離を一定にすることにより、通信伝達効率を一定にして、確実な通信を可能にした。また送・受アンテナを隔てることにより、ノイズ分離を容易にした。また安価な電子部品で回路を構築でき、アンテナの大きさに、より適応する周波数を選んだ。周波数を数十ＫＨｚ〜数百ＫＨｚにすると、汎用ＩＣが使用できるので、小型で、安価な、システムが実現できた。
【０００５】
【発明の実施の形態】
機械式キーと一体にして、コード作り，変調を一体にしたＩＣと振動子をカバーに内蔵してあり、カバー表面部に位置したスイツチを押下することにより、変調波を発生させ、キーの金属部を通して、ドアーの金属部を送信アンテナにして信号を放射させる。一定の間隔を経て受信アンテナに入力された信号は受信ＩＣにて復調，コード処理され、施錠用のソレノイド又はモーターをドライブする。この周波数帯では油汚れや，経年によるサビ等による接触不良が発生しても、安定した通信ができる。サムターン回し，ピッキング等により、機械式錠が解錠されても、電子式施錠機によりロックされているのでドアーは開けられない。電子式施錠機は機械的には外側より開ける事は不可能である、しかし内側よりはリセットスイツチを押下するか、又は電池をはずす事により容易に解錠される。
【０００６】
【実施例】
以下添付図に従がって実施例を説明する。図１は今まで一般的に用いられている機械式キーである。（イ）は正面図で、（ロ）は側面図である。
【０００７】
図２は今回使用される電子回路と一体化された、複合キーである。（イ）は正面図で、（ロ）は側面図である。スイツチ１ａを押下することにより変調波を発射させる。電子回路部はカバー２により被覆されている。
【０００８】
図３はドアーに取り付けられた電子式施錠機の配置図である。３は電子式施錠機、４は機械式キーの受け側、５は回転させてドアーを開ける為のノブである。（イ）はドアーの裏側図、（ロ）はドアーの側面図、（ハ）はドアーの表側図である。
【０００９】
図４は電子式施錠機の施錠状態と開錠状態である。（イ）は施錠時で、ホルダー６ａとロック棒７ａは固定されている。（ロ）は開錠時で、ホルダー６ｂとロック棒７ｂは自由である。ホルダーはドアーの裏側の周辺固定部に取り付けられていて、受信側の回路部は電子式施錠機ケース８ａに内蔵されている。
【００１０】
図５は電子式施錠機をドアーに取り付けた場合の断面図である。ロック棒７ｃはソレノイド又はモーターに連動されていて電池７，回路部等とケース８ｂに内蔵されている。受信側アンテナは補強板１０と共用され、外部よりドリル等を使用して破壊しようとしても、出来なくなっている。もちろん受信側アンテナを補強板とは別にしてドアーに貼り付けることもできる。補強板１０はドアーの裏側鉄板１２とは絶縁シート１１にて絶縁されている。空間を経てドアーの表側鉄板１３とで全体のドアー部を形成している。
【００１１】
図６は今回使用する電子回路のブロック図である。スイツチ１ｂを押下することにより、送信側振動子１４による周波数（例えば４５５ＫＨｚ）で送信側ＩＣ１５により分周，変調，コード作りされ、共振回路１６にて信号増幅して、キー接触部１７を通じてドアー部アンテナ１８より送信される。受信側アンテナ１０ｂにて信号は受信され、フィルター１９を通じて受信側ＩＣ２０と受信側振動子２１（例えば４５５ＫＨｚ）にて増幅，復調され、ドライバー回路２２によりソレノイド又はモーターを作動させ、ロック棒により機械的に施錠される。
【発明の効果】
本発明は、以上説明したような形態で実施され、以下に記載されるような効果を奏する。
【００１２】
送・受アンテナを一定間隔に位置させる事により、ノイズを分離しやすく、確実な通信伝達ができる。（ドアー接地の場合は、信号が極端に減衰するので、送信アンテナを、受信アンテナ又は受信器のグランドに接続する場合もある。）
【００１３】
ドアーをアンテナとして使用しているので、外側に露出した導体部を必要とせず、外側より見た場合、機械式キーのみを使用したシステムと同じデザインが実現できる。
【００１４】
数十ＫＨｚ〜数百ＫＨｚの変調波を使用しているので、キー部等に油汚れ，サビ等による接触不良が生じても安定した通信伝達ができる。
【００１５】
高周波（数百ＭＨｚ）を使用したシステムと比較した場合、回路構成が容易なので、小型で信頼性の高い、大幅にコストダウンしたシステムを実現できる。
【００１６】
電子回路を内蔵して機械式キーと一体にした場合は、機械施錠し、次にすぐスチを押下できるので、電子式施錠を忘れる事もなく、面倒でもなくなる。
【図面の簡単な説明】
【図１】今まで一般的に用いられている機械式キーの説明図である。
【図２】今回使用される一体化された複合キーの説明図である。
【図３】ドアーに電子式施錠機を取り付けた配置図である。
【図４】電子式施錠機の施錠状態（イ）、と開錠状態（ロ）の説明図である。
【図５】電子式施錠機をドアーに取り付けた場合の断面図である。
【図６】今回使用する電子回路のブロック図である。
【符号の説明】
１    スイツチ
２    カバー
３    電子式施錠機
４    機械式キー
５    ノブ
６    ホルダー
７    ロック棒
８    電子式施錠機ケース
９    電池
１０  受信側アンテナ（補強板）
１１  絶縁シート
１２  ドアーの表側鉄板
１３  ドアーの裏側鉄板
１４  送信側振動子
１５  送信側ＩＣ
１６  共振回路
１７  キー接触部
１８  ドアー部アンテナ
１９  フィルター
２０  受信側ＩＣ
２１  受信側振動子
２２  ドライバー回路